(57)【要約】【課題】  昇降装置の載置面の移動に伴い、被写体を取り巻く環境が変化した場合に応じて、該被写体の撮影を適切に行うことができる撮影装置を実現する。【解決手段】  本発明の写真撮影プリント装置１は、ユーザを載置する載置面を上下方向に移動させるリフタ４と、ユーザを撮影するための撮影カメラ５ａとを備え、リフタ４の載置面の移動に連動して、撮影カメラ５ａによる撮影可能な範囲を変更させる。【選択図】  図１
2006292789.tif 000002
【特許請求の範囲】
【請求項１】
被写体を載置する載置面を上下方向に移動させる昇降装置と、
上記被写体を撮影するための撮影カメラ部とを備えた撮影装置であって、
上記昇降装置の載置面の移動に連動して、上記撮影カメラ部による撮影可能な範囲を変更させることを特徴とする撮影装置。
【請求項２】
上記昇降装置の載置面の移動指示を示す指示情報を受け付け、該載置面の上下方向における移動量を特定する特定手段を備え、
上記特定手段によって特定された上記移動量に基づき、上記昇降装置の載置面を上下方向に移動させるとともに、上記撮影カメラ部の撮影可能な範囲を変更させることを特徴とする請求項１に記載の撮影装置。
【請求項３】
特定の撮影場面と昇降装置の載置面の上下方向における移動量とを対応付けた撮影場面情報を記憶する撮影場面情報記憶装置をさらに備え、
上記指示情報として撮影場面を選択する選択情報を受付けた場合、上記特定手段が、上記撮影場面情報に基づき、該選択情報に応じた昇降装置の載置面の移動量を特定することを特徴とする請求項２に記載の撮影装置。
【請求項４】
撮影された画像データに対して合成するための合成データと、昇降装置の載置面の上下方向における移動量とを対応付けて記憶する合成データ記憶装置をさらに備え、
上記特定手段によって特定された上記移動量に基づき、上記合成データを選択することを特徴とする請求項２または３に記載の撮影装置。
【請求項５】
上記昇降装置の載置面の移動に連動して、上記撮影カメラ部の撮影方向を制御することにより、撮影可能な範囲を変更させることを特徴とする請求項１〜４のいずれか１項に記載の撮影装置。
【請求項６】
上記昇降装置の載置面の移動に連動して、上記撮影カメラ部の画角を変更させることにより、撮影可能な範囲を変更させることを特徴とする請求項１〜４のいずれか１項に記載の撮影装置。
【請求項７】
上記昇降装置の載置面の上下方向における移動を制御する昇降装置制御手段と、
上記被写体を撮影するための撮影カメラ部による撮影方向を制御する撮影制御手段とを備え、
上記昇降装置制御手段による昇降装置の載置面の移動に連動して、上記撮影制御手段が、上記撮影カメラ部による撮影方向を制御することを特徴とする請求項５に記載の撮影装置。
【請求項８】
上記昇降装置の載置面の上下方向における移動を制御する昇降装置制御手段と、
上記被写体を撮影するための撮影カメラ部の画角を変更させる撮影制御手段とを備え、
上記昇降装置制御手段による昇降装置の載置面の移動に連動して、上記撮影制御手段が、上記撮影カメラ部の画角を変更させることを特徴とする請求項６に記載の撮影装置。
【請求項９】
被写体を載置する載置面を上下方向に移動させる昇降装置と、
上記被写体を撮影するための撮影カメラ部とを備えた撮影装置を制御する方法であって、
上記昇降装置の載置面の移動に連動して、上記撮影カメラ部による撮影可能な範囲を変更させることを特徴とする撮影装置の制御方法。
【請求項１０】
請求項７または８に記載の撮影装置を動作させるための制御プログラムであって、コンピュータを上記各手段として機能させるための撮影装置の制御プログラム。
【請求項１１】
請求項１０に記載の撮影装置の制御プログラムを記録したコンピュータの読取り可能な記録媒体。
【発明の詳細な説明】
【技術分野】
【０００１】
被写体を載置する載置面を上下方向に移動させる昇降装置と、上記被写体を撮影するための撮影カメラ部と、撮影時において該被写体の背景となる背景カーテン部材とを備えた撮影装置、撮影装置の制御方法、撮影装置の制御プログラム、および撮影装置の制御プログラムを記録した記録媒体に関するものである。
【背景技術】
【０００２】
従来、ユーザの写真撮影を行うとともに、その写真を背景画像などと合成した上でシールプリントとして出力する写真撮影プリント装置が、例えばゲームセンターなどの娯楽施設において設置されており、ユーザの間で人気を博している。
【０００３】
このような写真撮影プリント装置として、例えば特許文献１では、図１５に示すように、撮像装置（撮影カメラ）１０５を有する画像出力装置（本体装置）１０２と、ストロボ１０３と、センサー１０６と、被写体であるユーザを上昇させる昇降式リフタ１０４とを備えた画像プリントシステムが提案されている。
【０００４】
この特許文献１に示す画像プリントシステムでは、昇降式リフタ１０４によりユーザが上下方向に移動可能となっている。そして、センサー１０２の検知信号の有無により、ユーザと撮像装置１０５との位置合わせを行うことができるようになっている。
【０００５】
また、特許文献２では、上記した写真撮影プリント装置として、上記特許文献１に示す画像プリントシステムにおけるリフタ１０４と同様に、被写体であるユーザを上下方向に移動可能とするステージを備えた映像プリント遊戯装置が開示されている。
【０００６】
また、特許文献３では、上記した写真撮影プリント装置として、上記特許文献１に示す昇降式リフタ１０４の代わりに、ユーザを上下方向に移動可能とする回転椅子を設けた写真シール自動販売装置が開示されている。
【特許文献１】特開２００４−２７１９３８号公報（２００４年９月３０日公開）
【特許文献２】特開２０００−２５００９９号公報（２０００年９月１４日公開）
【特許文献３】特開２００３−３０７７６５号公報（２００３年１０月３１日公開）
【発明の開示】
【発明が解決しようとする課題】
【０００７】
しかしながら、上記特許文献１〜特許文献３に示す写真撮影プリント装置では、被写体の上下方向における移動に伴い生じる、該被写体の周囲を取り巻く撮影環境の変化に応じた撮影を行うことができないという問題が生じる。
【０００８】
より具体的には、特許文献１〜特許文献３に示す構成では、設置位置が固定された撮像カメラ１０５により被写体の撮影が行われている。このため、昇降式リフタ１０４が上昇し、被写体位置が変化するにも関わらず、この撮像装置１０５により撮影可能な範囲は変化しない。このため、例えば、上昇した昇降指示リフタ１０４の被写体の載置面が撮像装置１０５により撮影されたりする。
【０００９】
つまり、上記特許文献１〜特許文献３に示す構成による写真撮影プリント装置では、昇降リフタ１０４の載置面の移動により様々な高さに位置する被写体それぞれに応じて、適切に撮影を行うことができない。
【００１０】
本発明は、上記の問題点に鑑みてなされたものであり、その目的は、上記昇降装置の載置面の移動に伴い、被写体を取り巻く環境が変化した場合に応じて、該被写体の撮影を適切に行うことができる撮影装置、撮影装置の制御方法、撮影装置の制御プログラム、および撮影装置の制御プログラムを記録した記録媒体を実現する。
【課題を解決するための手段】
【００１１】
本発明に係る撮影装置は、上記した課題を解決するために、被写体を載置する載置面を上下方向に移動させる昇降装置と、上記被写体を撮影するための撮影カメラ部とを備えた撮影装置であって、上記昇降装置の載置面の移動に連動して、上記撮影カメラ部による撮影可能な範囲を変更させることを特徴とする。
【００１２】
上記構成によると、上記昇降装置の載置面の移動に連動して、上記撮影カメラ部による撮影可能な範囲を変更させることができる。すなわち、本発明に係る撮影装置は、上記昇降装置の載置面の移動に伴い、被写体を取り巻く環境が変化した場合に応じた、撮影カメラ部による撮影を行うことができる。
【００１３】
例えば、上昇した昇降装置の載置面が上記カメラ部の撮影可能な範囲にある場合、撮影可能な範囲を昇降装置の移動に伴い変更させることができるため、該載置面が撮影されないようにすることができる。
【００１４】
したがって、本発明に係る撮影装置は、上記昇降装置の載置面の移動に伴い、被写体を取り巻く環境が変化した場合に応じて、該被写体の撮影を適切に行うことができるという効果を奏する。
【００１５】
また、本発明に係る撮影装置は、上記した構成において、上記昇降装置の載置面の移動指示を示す指示情報を受け付け、該載置面の上下方向における移動量を特定する特定手段を備え、上記特定手段によって特定された上記移動量に基づき、上記昇降装置の載置面を上下方向に移動させるとともに、上記撮影カメラ部の撮影可能な範囲を変更させるように構成されていることが好ましい。
【００１６】
なお、上記指示情報とは、例えば昇降装置の載置面の上昇量であってもよいし、撮影場面に応じて予め昇降装置の載置面の上昇位置が決められている場合は、撮影場面を特定する情報であってもよい。
【００１７】
上記構成によると、特定手段を備えているため、昇降装置の載置面の上下方向における移動量を特定することができる。このため、本発明に係る撮影装置は、特定した移動量に基づき、昇降装置の載置面を上下方向に移動させることができるとともに、この移動量に応じて撮影カメラ部の撮影可能な範囲を変更させることができる。
【００１８】
したがって、本発明に係る撮影装置は、上記昇降装置の載置面の移動に伴い、被写体を取り巻く環境が変化した場合に応じて、該被写体の撮影を適切に行うことができる。
【００１９】
また、本発明に係る撮影装置は、上記した構成において、特定の撮影場面と昇降装置の載置面の上下方向における移動量とを対応付けた撮影場面情報を記憶する撮影場面情報記憶装置をさらに備え、上記指示情報として撮影場面を選択する選択情報を受付けた場合、上記特定手段が、上記撮影場面情報に基づき、該選択情報に応じた昇降装置の載置面の移動量を特定するように構成されていてもよい。
【００２０】
なお、撮影場面とは、撮影空間中に形成された、例えば、町並み、砂浜、遊園地など、撮影時におけるさまざまな擬似的環境である。
【００２１】
上記構成によると、上記撮影場面情報記憶装置を備えているため、受付けた撮影場面の選択情報に応じて、昇降装置の載置面の移動量を特定することができる。このため、撮影場面を選択するだけで、該撮影場面に応じた昇降装置の載置面位置に対して、撮影カメラ部の撮影可能な範囲を適切に変更させることができる。
【００２２】
したがって、本発明に係る撮影装置は、被写体を取り巻く上記撮影場面ごとの環境に応じて適切に撮影を行うことができる。
【００２３】
また、本発明に係る撮影装置は、上記した構成において、撮影された画像データに対して合成するための合成データと、昇降装置の載置面の上下方向における移動量とを対応付けて記憶する合成データ記憶装置をさらに備え、上記特定手段によって特定された上記移動量に基づき、上記合成データを選択するように構成されていることが好ましい。
【００２４】
上記構成によると、合成データ記憶装置を備えているため、上記特定手段によって特定された上記移動量に基づき、合成データを選択することができる。
【００２５】
このように、昇降装置の移動量に応じた合成データを選択することができるため、本発明に係る撮影装置は、上記昇降装置の載置面の移動に伴う、被写体を取り巻く環境の変化に応じた、適切な合成データによって画像データを合成することができる。
【００２６】
なお、上記合成データとは、例えば、撮影された画像データの周囲の縁取りをするフレームデータ、画像データに加工を行うためのスタンプデータ、またはクロマキー背景用データなどである。
【００２７】
また、本発明に係る撮影装置は、上記した構成において、上記昇降装置の載置面の移動に連動して、上記撮影カメラ部の撮影方向を制御することにより、撮影可能な範囲を変更させるように構成されていてもよい。
【００２８】
上記構成によると、上記昇降装置の載置面の移動に連動して、上記撮影カメラ部の撮影方向を制御することができる。このため、移動した昇降装置の載置面を撮影しないように、撮影装置の撮影方向を変更させることができる。
【００２９】
したがって、本発明に係る撮影装置は、上記昇降装置の載置面の移動に伴い、被写体を取り巻く環境が変化した場合に応じて、該被写体の撮影を適切に行うことができる。
【００３０】
また、本発明に係る撮影装置は、上記した構成において、上記昇降装置の載置面の移動に連動して、上記撮影カメラ部の画角を変更させることにより、撮影可能な範囲を変更させるように構成されていてもよい。
【００３１】
上記構成によると、上記昇降装置の載置面の移動に連動して、上記撮影カメラ部の画角を変更させることができる。このため、例えば移動した昇降装置の載置面が撮影カメラ部の撮影可能な範囲内に入らないように該撮影カメラ部の画角を変更させることができる。
【００３２】
したがって、本発明に係る撮影装置は、上記昇降装置の載置面の移動に伴い、被写体を取り巻く環境が変化した場合に応じて、該被写体の撮影を適切に行うことができる。
【００３３】
また、本発明に係る撮影装置は、上記した構成において、上記昇降装置の載置面の上下方向における移動を制御する昇降装置制御手段と、上記被写体を撮影するための撮影カメラ部による撮影方向を制御する撮影制御手段とを備え、上記昇降装置制御手段による昇降装置の載置面の移動に連動して、上記撮影制御手段が、上記撮影カメラ部による撮影方向を制御するように構成されていることが好ましい。
【００３４】
上記構成によると、上記昇降装置制御手段を備えているため、昇降装置の載置面の上下方向における移動を制御することができる。また、撮影制御手段を備えているため、撮影カメラ部による撮影方向を制御することができる。
【００３５】
また、上記昇降装置制御手段による昇降装置の載置面の移動に連動して、上記撮影制御手段が上記撮影カメラ部による撮影方向を制御することができる。
【００３６】
このため、本発明に係る撮影装置は、上記昇降装置の載置面の移動に伴い、被写体を取り巻く環境が変化した場合に応じて、該被写体の撮影を適切に行うことができる。
【００３７】
また、本発明に係る撮影装置は、上記した構成において、上記昇降装置の載置面の上下方向における移動を制御する昇降装置制御手段と、上記被写体を撮影するための撮影カメラ部の画角を変更させる撮影制御手段とを備え、上記昇降装置制御手段による昇降装置の載置面の移動に連動して、上記撮影制御手段が、上記撮影カメラ部の画角を変更させるように構成されていてもよい。
【００３８】
上記構成によると、上記昇降装置制御手段を備えているため、昇降装置の載置面の上下方向における移動を制御することができる。また、撮影制御手段を備えているため、撮影カメラ部の画角を変更させるように制御することができる。
【００３９】
また、上記昇降装置制御手段による昇降装置の載置面の移動に連動して、上記撮影制御手段が上記撮影カメラ部の画角を変更させるように制御することができる。
【００４０】
このため、本発明に係る撮影装置は、上記昇降装置の載置面の移動に伴い、被写体を取り巻く環境が変化した場合に応じて、該被写体の撮影を適切に行うことができる。
【００４１】
また、本発明に係る撮影装置の制御方法は、上記した課題を解決するために、被写体を載置する載置面を上下方向に移動させる昇降装置と、上記被写体を撮影するための撮影カメラ部とを備えた撮影装置を制御する方法であって、上記昇降装置の載置面の移動に連動して、上記撮影カメラ部による撮影可能な範囲を変更させることを特徴とする。
【００４２】
上記方法によると、上記昇降装置の載置面の移動に連動して、上記撮影カメラ部による撮影可能な範囲を変更させることができる。すなわち、本発明に係る撮影装置の制御方法では、上記昇降装置の載置面の移動に伴い被写体を取り巻く環境が変化した場合に応じて、撮影カメラ部による撮影を行うことができる。
【００４３】
例えば、上昇した昇降装置の載置面が上記カメラ部の撮影可能な範囲にある場合、撮影可能な範囲を昇降装置の移動に伴い変更させることができるため、該載置面が撮影されないようにすることができる。
【００４４】
したがって、本発明に係る撮影装置の制御方法は、上記昇降装置の載置面の移動に伴い、被写体を取り巻く環境が変化した場合に応じて、該被写体の撮影を適切に行うことができるという効果を奏する。
【００４５】
なお、上記撮影装置が備える各手段は、コンピュータによって実現してもよく、この場合には、コンピュータを上記各手段として動作させることにより上記撮影装置をコンピュータにて実現させる撮影装置の制御プログラムを記録したコンピュータ読取り可能な記録媒体も、本発明の範疇に入る。
【発明の効果】
【００４６】
本発明に係る撮影装置は、以上のように、被写体を載置する載置面を上下方向に移動させる昇降装置と、上記被写体を撮影するための撮影カメラ部とを備えた撮影装置であって、上記昇降装置の載置面の移動に連動して、上記撮影カメラ部による撮影可能な範囲を変更させることを特徴とする。
【００４７】
したがって、本発明に係る撮影装置は、上記昇降装置の載置面の移動に伴い、被写体を取り巻く環境が変化した場合に応じて、該被写体の撮影を適切に行うことができるという効果を奏する。
【００４８】
本発明に係る撮影装置の制御方法は、以上のように、被写体を載置する載置面を上下方向に移動させる昇降装置と、上記被写体を撮影するための撮影カメラ部とを備えた撮影装置を制御する方法であって、上記昇降装置の載置面の移動に連動して、上記撮影カメラ部による撮影可能な範囲を変更させることを特徴とする。
【００４９】
したがって、本発明に係る撮影装置の制御方法は、上記昇降装置の載置面の移動に伴い、被写体を取り巻く環境が変化した場合に応じて、該被写体の撮影を適切に行うことができるという効果を奏する。
【発明を実施するための最良の形態】
【００５０】
本発明の一実施形態について図１〜図１４に基づいて説明すれば、以下のとおりである。
【００５１】
本実施の形態に係る写真撮影プリント装置（撮影装置）１は、撮影空間内に入室したユーザの撮影を行ない、その写真を背景画像などと合成した上でシールプリントとして出力するものである。すなわち、上記写真撮影プリント装置１は、ユーザの写真を撮影する機能（撮影機能）、撮影した写真に対して落書きなどの編集をユーザに行わせる機能（編集機能）、及び編集された画像をプリントする機能（プリント機能）を備えているものである。なお、これらの機能は、全て必須ではなく、写真撮影プリント装置１は、例えば編集機能が省かれた撮影専用として構成することも可能である。また、プリント機能が省かれた編集専用（落書き専用）として構成することも可能である。
【００５２】
（写真撮影プリント装置の外観的構成）
まず、図２を参照しながら、写真撮影プリント装置１の外観について説明する。図２は、本実施の形態に係る写真撮影プリント装置１の概略構成を示す図である。
【００５３】
図２に示すように、写真撮影プリント装置１は、ユーザを被写体として撮影したり、撮影した写真を合成したりしてシールプリントを出力する本体装置２と、被写体の背景となる背景カーテン３と、上記被写体の位置を垂直方向に上下させるリフタ（昇降装置）４とを備えている。なお、本体装置２から背景カーテン３までの周囲および上部は、外部からの光を遮断する遮光幕によって覆われている。そしてこのように遮光幕で覆うことにより、ユーザの写真を撮影する撮影空間（撮影室）を形成している。また、この背景カーテン３は、背景支持装置１４により上記撮影室の上部から吊り下げられている。
【００５４】
なお、この写真撮影プリント装置１では、撮影空間である撮影室にて撮影および編集処理を行うように構成されているが、この撮影を行う空間と編集処理を行う空間とが別々に設けられた構成であってもよい。
【００５５】
上記本体装置２は、撮影ユニット５、編集ユニット６、送風装置８、硬貨投入口９、硬貨返却口１０、プリント排出口１１、およびスピーカ１２を備えている。また、この本体装置２は、さらに被写体を照明する照明装置１３として、蛍光灯、ストロボランプ、反射板（これらは、本体装置２内に設置されているため、図示せず）、および拡散板を備えている。
【００５６】
上記撮影ユニット５は撮影作業に必要な機能を備えたユニットである。この撮影ユニット５には、後述する図６に示すように撮影カメラ（撮影カメラ部）５a、表示モニタ５ｂ、および操作ボタン５ｃが設けられている。
【００５７】
撮影カメラ５aは、例えばレンズ群、絞り、ＣＣＤ(Charge Coupled Device)撮像素子などを備えたデジタルカメラによって構成される。この撮影カメラ５aは、全身撮影とアップ撮影との両方に対応できるように、例えば使用するレンズ群および絞りを切り替えられるような構成となっていてもよい。
【００５８】
表示モニタ５ｂは、撮影処理における各種操作内容の表示や、撮影時の撮影画面表示などに用いられるモニタである。この表示モニタ５ｂは、例えば液晶表示素子などのフラットパネルディスプレイや、小型のＣＲＴ(Cathode Ray Tube)などによって構成される。
【００５９】
また、上記表示モニタ５ｂは、撮影中の画像を逐次表示しており、撮影ユニット５に向かって撮影ポーズをとるユーザは、リアルタイムで自身の姿を視認することが可能である。このため、ユーザは、自身のポーズを確認しながら、撮影処理を行うことができる。
【００６０】
操作ボタン５ｃは、後述する撮影場面の設定や、表示モニタ５ｂに表示される操作内容に応じて設定等を行う際に用いたりするボタンである。操作ボタン５ｃには、撮影を指示するためのシャッタボタンも含まれている。
【００６１】
上記編集ユニット６は、編集表示パネル６ａおよびタッチペン６ｂを備えてなる構成である。
【００６２】
上記編集表示パネル６aは、落書きなどの編集処理時に、編集対象の画像の表示や各種編集ツールの選択表示などを行うものである。この編集表示パネル６aは、例えば液晶表示素子などのフラットパネルディスプレイやＣＲＴなどによって構成されるとともに、その表面にタッチパネルが設けられている。
【００６３】
例えば、この編集表示パネル６aでは、撮影された画像に対する落書きなど編集処理を施すための、編集用画像を表示したり、各種編集ツールなどを表示したりすることもできる。
【００６４】
また、上記編集表示パネル６aの近傍（図２では編集表示パネル６aの左右）には、タッチペン６ｂが備えられており、このタッチペン６ｂをタッチパネルに接触させることによって、タッチパネルに対する各種入力を行うことができる。
【００６５】
本実施形態では、図２に示すように、本体装置２は、２つのタッチペン６ｂを備えており、撮影空間内にいる２人のユーザが同時に落書きなどの編集処理を行うことができる。
【００６６】
なお、本実施形態では、撮影処理用に表示モニタ５ｂが設けられ、編集処理用に編集表示パネル６aが設けられて構成されているが、１つの表示モニタ５ｂあるいは編集表示パネル６aのみによって編集用および撮影用の画像がともに表示される構成であってもよい。
【００６７】
送風装置８は、小型のモータにより羽を回して、風を起こし、被写体であるユーザに対して吹き付ける装置である。この送風装置８は、ユーザの指示あるいは撮影場面に応じて風向および風の強さを調整することができるようになっている。すなわち、本実施形態に係る写真撮影プリント装置１では、例えば、遊園地、山頂などいくつかの撮影場面が予め設定されている。そして、この写真撮影プリント装置１は、撮影場面に応じた撮影を行うことができるように、各撮影場面に合わせて、背景画像、ユーザの位置、ユーザに対して吹き付ける風の強さおよび向きが決められている。なお、この撮影場面の設定に関する詳細は後述する。
【００６８】
上記硬貨投入口９は、ユーザが料金として所定金額の硬貨を投入するための投入口である。また、硬貨返却口１０は、釣り銭が生じた場合や、硬貨が投入された後でリセットされた場合に、硬貨をユーザに対して返却するための返却口である。また、本体装置２の内部には、ユーザから徴収した硬貨を蓄積する硬貨収容容器（図示せず）が設けられている。
【００６９】
プリント排出口１１は、撮影処理および編集処理を終えた後に、画像がプリントされたシールプリントが排出されるところである。
【００７０】
スピーカ１２は、ユーザに対して各種操作上のガイダンス音声や効果音、ＢＧＭ（back ground music）などを出力するものである。
【００７１】
上記照明装置１３を構成する蛍光灯（図示せず）は、撮影時の照明として機能するとともに、通常時の撮影室内の照明としても機能する。具体的には、蛍光灯は、撮影時に撮影ユニット５が撮影するライブビューにおける光量、つまり、ユーザが撮影の構図やポーズを考えている期間の光量を確保する。それとともに、例えば、「写りの良い写真がとれそう」という印象をユーザに与えるといったような、照明による撮影室内の演出を行う。本実施形態では、この蛍光灯は、本体装置２内において、撮影ユニット５の両側に配備されているが配備される位置はこれに限定されるものではなく被写体であるユーザの撮影を効果的に行うことができる位置であればよい。
【００７２】
また、上記照明装置１３を構成するストロボランプ（図示せず）は、撮影時の写真閃光灯として機能するものであり、本体装置２内において、撮影ユニット５の両側に配備されている。
【００７３】
また、上記照明装置１３を構成する反射板（図示せず）は、蛍光灯やストロボランプからの光をその反射するよう機能するものであり、光を拡散板の方向に導くように設置される。この反射板は、反射面が、例えばステンレス等から構成され、形状としては、拡散板に光を集められるような形状であればよい。
【００７４】
また、上記照明装置１３を構成する拡散板は、反射板にて反射された光を拡散して撮影空間に出射するよう機能するものである。拡散板は、例えば、薄い乳白色のアクリル板などによって構成されている。形状としては、本実施形態では、発光面が略平面状となっており、また、鉛直方向に長い長方形である。
【００７５】
なお、必要に応じて、照明装置１３からの光量を変化させたり、照明方向を変更したりしてもよい。また、照明装置１３の構成は上記に限定されるものではなく、撮影に最適な光が被写体に照射されるようになっていればよい。
【００７６】
上記背景カーテン３は、撮影の背景を演出するものである。なお、背景をユーザの好みに応じて演出でききるようにするため、複数の背景カーテン３…をそれぞれ切り替えることができるようになっている。これら背景カーテン３…の切り替えは、モータなどによって他の背景カーテン３へと自動的に切り替えたり、ユーザが手動により他の背景カーテン３に切り替えたりすることで実現できる。
【００７７】
また、この背景カーテン３は、撮影されたユーザの画像データと、予め作成されている背景画像データとを合成させる、いわゆるクロマキー合成を行うためのものであってもよい。
【００７８】
上記リフタ４は、被写体であるユーザを撮影空間において上下させるものである。上記リフタ４は、ユーザからの操作指示、選択された撮影場面などに応じて昇降するようになっている。
【００７９】
（リフタと背景カーテンとの配置関係）
ここで、図３、図４（ａ）および図４（ｂ）を参照して上記背景カーテン３とリフタ４との配置関係について説明する。なお、図３は、本実施形態に係る写真撮影プリント装置１の概略の構成を示す側面図である。また、図４（ａ）および図４（ｂ）は、本実施形態に係る写真撮影プリント装置１の撮影室におけるリフタ４の設置範囲の一例を示す図である。
【００８０】
上記写真撮影プリント装置１では、被写体であるユーザを撮影する撮影室において、床部７０の上面の一端の領域に本体装置２が配備され、該床部７０の上面の他端の領域に、リフタ４が設けられている。
【００８１】
なお、本実施形態では、写真撮影プリント装置１の撮影室内において、本体装置２が配備される側を「前側」、リフタ４が設置されている側を「後側」とする。また、上記リフタ４の設置範囲は、具体的には図４（ａ）に示すように撮影室内の後側でありかつ、撮影時にユーザが位置する範囲である被写体位置範囲（撮影室の後側領域全体）に相当する領域となる。
【００８２】
したがって、撮影時、ユーザは、被写体位置範囲に相当する、リフタ４の上面のいずれかの領域に立つこととなる。すなわち、本実施形態では、このリフタ４の設置範囲が、ユーザを載置して上下方向に移動させるためのリフタ４の載置面に一致している。
【００８３】
なお、この図４（ａ）および図４（ｂ）は、本実施形態に係る写真撮影プリント装置の撮影室におけるリフタの設置範囲の一例を示す図である。そして、図４（ａ）および図４（ｂ）は、撮影室の上方から撮影室の床部７０に向かってみた場合における撮影室の平面図を示している。
【００８４】
また、撮影室において上記リフタ４の設置範囲（載置面）が占める領域は、例えば撮影カメラ５aが撮影可能な範囲に応じて、図４（ｂ）に示すように撮影室内の後側における限定された範囲であってもよい。すなわち、撮影室内において上記リフタ４の設置範囲（載置面）は、上記被写体位置範囲として規定される範囲に相当する範囲であればよい。
【００８５】
また、上記背景カーテン３は、上記撮影室内の後側でかつ、リフタ４の設置範囲（載置面）上に撮影室の上部から吊り下げられている。つまり、撮影室における上部には、この背景カーテン３を固定し、吊り下げる背景支持装置１４が設けられている。
【００８６】
そして、この背景支持装置１４は、支持している背景カーテン３を巻き上げたり、巻き上げた背景カーテン３を垂れ下げさせたりして撮影空間の上下方向における背景カーテン３の長さを変更することができるようになっている。すなわち、上記背景支持装置１４は、背景カーテン３の下端部７１（背景カーテン３におけるリフタ４側の端部）が上下移動することができるようになっている。なお、上記背景支持装置１４は、後述する駆動制御部４０からの指示に応じて、この背景カーテン３の巻き上げを行うようになっている。なお、本実施形態において上下方向とは撮影室内における床部７０と垂直となる方向である。
【００８７】
また、上記背景支持装置１４は、背景カーテン３を撮影空間における上下方向に移動させるように構成されているが、上記撮影室の上部の両側に、背景支持用レール（不図示）が架設され、この背景支持用レールによって、背景支持装置１４が前後方向に移動可能となっていてもよい。ただし、このように背景支持装置１４が前後方向に移動可能な場合、該背景支持装置１４が移動可能な範囲は、被写体位置範囲内となる。
【００８８】
このように、背景支持装置１４が前後方向に移動可能となっている場合、被写体の配置位置、すなわちユーザの立ち位置に応じて適切に背景カーテン３の設置位置を調整することができ、より好適な撮影を実現することができる。
【００８９】
また、本実施形態では、背景支持装置１４が、背景カーテン３を巻き上げることにより、該背景カーテン３の下端部７１を上昇させている。そして、背景カーテン３がリフタ４によって押し上げられ弛まないように構成されている。しかしながら、上記背景カーテン３を巻き上げて該背景カーテン３の下端部７１の位置を変更する構成に限定されるものではなく、背景カーテン３を支持している背景支持装置１４自身が上下方向に移動するように構成されていてもよい。
【００９０】
（写真撮影プリント装置の機能的構成）
次に、図６を参照して本実施の形態に係る写真撮影プリント装置１の要部構成について説明する。なお、この図６は、本発明の実施形態を示すものであり、写真撮影プリント装置１の要部構成を示すブロック図である。
【００９１】
図６に示すように、上記写真撮影プリント装置１は、上記した背景カーテン３、リフタ４、撮影ユニット５、編集ユニット６、送風装置８、スピーカ１２、照明装置１３、および背景支持装置１４に加えて、さらに制御装置３０、記憶装置（撮影場面情報記憶装置、合成データ記憶装置）１６、外部ディスクドライブ１８、電源装置２０、通信部１５、課金処理部１７、ＩＤタグリーダ／ライタ２１、およびプリンタ２３を備えている。
【００９２】
制御装置３０は、写真撮影プリント装置１における上述した各種構成の動作を統括的に制御するものである。上記制御装置３０は、駆動制御部４０、入力制御部５１、および表示制御部５０を備えている。
【００９３】
駆動制御部４０は、写真撮影プリント装置１に備えられた、リフタ４、背景カーテン３、照明装置１３、スピーカ１２、送風装置８、および撮影カメラ５aの駆動を制御するものである。
【００９４】
具体的には、上記駆動制御部４０は、上記リフタ４の駆動を制御するリフタ制御部（昇降装置制御手段）４３、背景カーテン３を支持する背景支持装置１４の駆動を制御するカーテン制御部４２、送風装置８の駆動を制御する送風制御部４４、照明装置１３の駆動を制御する発光制御部４１、スピーカ１２の駆動を制御する音声出力部４５、および撮影カメラ５aを制御する撮影ユニット制御部（撮影制御手段）４６を備えている。
【００９５】
なお、この撮影ユニット制御部４６は、撮影カメラ５ａの各種制御を行うものである。例えば、この撮影ユニット制御部４６は、撮影カメラ５ａによる撮影方向を変更させるように、該撮影カメラ５ａを制御したり、撮影カメラ５ａの画角を変更させるように制御したりする。
【００９６】
上記入力制御部５１は、撮影ユニット５における操作ボタン５ｃからの入力を受付けるものである。表示制御部５０は、撮影カメラ５aによって撮影された画像のデータを受付けたり、受付けたデータを表示モニタ５ｂに出力して表示させるように制御したりするものである。また、この表示制御部５０は、撮影場面をユーザが選択して撮影を行う場合、記憶装置１６に格納された撮影場面データ６２を取得し、この情報に基づき選択可能な撮影場面を表示モニタ５ｂ上で再生するように制御する。
【００９７】
記憶装置１６は、上記したハードディスクなどの不揮発性の記憶装置１６によって構成されるものである。この記憶装置１６に記憶される内容としては、上記した制御プログラム、ＯＳ(Operating System)プログラム、およびその他各種プログラム、撮影カメラ５aにおける動作設定値、撮影した画像および編集した画像の画像データなどが挙げられる。上記の撮影カメラ５aにおける動作設定値としては、装置出荷時やメンテナンス時などに設定されるホワイトバランスの値、撮影画像の明暗などを調整する際の画像処理に関する各種パラメータ値などが挙げられる。
【００９８】
また、上述したように、本実施形態では所定の撮影場面を選択することができるようになっており、この選択された撮影場面に応じて、リフタ４の上昇位置、ならびに風向および風力などが予め決められている。そこでこの記憶装置１６には、撮影データテーブル６１としてこれらの各種情報が撮影場面ごとに記憶されている。また、この記憶装置１６には、ユーザにより選択可能な撮影場面を表示するためのデータである撮影場面データ６２も記憶している。
【００９９】
さらにまた、上記記憶装置１６は、リフタ４の移動量を示す情報と撮影カメラ５ａの撮影方向の角度とを対応付けた移動量テーブル６３が記憶されている。なお、撮影データテーブル６１、撮影場面データ６２、および移動量テーブル６３の詳細は後述する。
【０１００】
外部ディスクドライブ１８は、ＣＤ−ＲＯＭ、ＣＤ−Ｒ、ＤＶＤ−ＲＯＭ、ＤＶＤ−ＲＡＭなどの外部ディスク（リムーバブルメディア１９）を読み書きするドライブ装置である。外部ディスクドライブ１８の代わりに、半導体メモリカードのリーダ／ライタなどを用いることもできる。なお、この外部ディスクドライブ１８が、上記記憶装置１６の代わりとして動作してもよい。
【０１０１】
上記電源装置２０は、写真撮影プリント装置１内における上述した各種構成に対して電力供給を行うためのものである。
【０１０２】
上記通信部１５は、当該制御装置３０と外部装置との間で情報の送受を行うものである。具体的には、例えば、上記通信部１５は、撮影ユニット５を用いて撮影した撮影画像を、上記ユーザの携帯電話に送信してもよい。
【０１０３】
課金処理部１７は、ユーザから徴収する課金に関する処理を行うブロックである。課金処理部１７による課金状況に応じて、制御装置３０が該当ユーザに対する動作を制御する。
【０１０４】
ＩＤタグリーダ／ライタ２１およびプリンタ２３は、プリンタユニットを構成しており、このプリンタユニットに対して、写真プリントの出力媒体となるプリント紙およびＩＤタグ２２がプリント紙ユニット２５としてセットで納入されるようになっている。
【０１０５】
プリンタ２３は、出力すべき画像データが制御装置３０から送られてくると、その画像データに基づいてプリント紙に印刷を行うものである。このプリンタ２３としては、例えば昇華型プリンタ２３が用いられる。なお、昇華型プリンタ２３を用いる場合には、プリント紙およびＩＤタグ２２に加えて、昇華型用インクフィルムがセットとなって納入されることになる。
【０１０６】
ＩＤタグリーダ／ライタ２１は、ＩＤタグ２２に記録されている各種識別情報を読み出して制御装置３０に出力する。ＩＤタグ２２は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【０１０７】
制御装置３０は、ＩＤタグリーダ／ライタ２１で読取った識別情報に基づいて、装着されたプリント紙およびインクフィルムが、当該写真撮影プリント装置１において利用可能なものであるかを判定し、利用可能である場合にのみプリンタ２３を動作可能とする。すなわち、写真撮影プリント装置１において指定されているプリント紙およびインクフィルム以外は使用できないように設定されていることになる。
【０１０８】
また、ＩＤタグ２２に記録されている用紙枚数情報に基づいて、プリント紙を使用するごとに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【０１０９】
なお、用紙枚数をカウントダウンする際には、ＩＤタグ２２に記録されている用紙枚数情報も書き換えるようにする。これにより、用紙を使い切った場合には、ＩＤタグ２２に記録されている用紙枚数情報も０となり、このＩＤタグ２２を無効にすることが可能となる。
【０１１０】
また、ＩＤタグ２２に記録されている用紙種類情報や、インク固有の色情報を読み出すことによって、これらを考慮して画像データの色成分などを補正することにより、その用紙やインクフィルムに的確な画像出力を行うことが可能となる。
【０１１１】
ＩＤタグ２２としては、無線によりデータ通信を行うことが可能な非接触型ＩＤタグ２２と、端子が設けられた接触型ＩＤタグ２２とがあり、ＩＤタグリーダ／ライタ２１としては、これらのどちらか一方あるいは両方に対応したものとなる。
【０１１２】
なお、上記の例では、ＩＤタグ２２を利用して利用可能なプリント紙であるか否かを確認するようになっているが、これに限定するものではなく、例えば、プリント紙およびインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができないなどの問題がある。
【０１１３】
なお、上記のプリント紙としては、本実施形態では粘着シートおよび該粘着シールの粘着面に貼り付けられている剥離シートからなるシールシートを用いているが、通常の紙状媒体である紙状シートであってもよい。
【０１１４】
（全体処理の流れ）
次に、上記写真撮影プリント装置１における撮影から印刷までの一連の処理の流れについて、図５に示すフローチャートを参照しながら説明する。まず、ステップＳ１（以降、Ｓ１のように称する）において、課金処理部１７は、ユーザによる硬貨の投入があるか否かを判定する。具体的には、課金処理部１７は、ユーザによる硬貨投入口９から硬貨の投入があると判定すると（Ｓ１においてＹＥＳ）、制御装置３０を動作させる。そして次のＳ２に進む。一方、課金処理部１７は、硬貨の投入がないと判断すると（Ｓ１においてＮＯ）、硬貨の投入を待つ。すなわち、客待ち状態を維持する。なお、この客待ち状態では、例えば、編集表示パネル６aなどのタッチパネル画面を表示させた状態としておいてもよい。
【０１１５】
Ｓ２では、制御装置３０が、駆動制御部４０を制御して撮影処理を行う。この撮影処理では、背景カーテン３の選択や実際の撮影処理などが行われる。ここで、ユーザは、画像表示モニタ５ｂに表示されるライブビュー画像を確認しながら、自分の立ち位置やポーズなどを考え、準備が整い次第、撮影開始指示を行うことによって撮影が行われる。
【０１１６】
そして、Ｓ３において、制御装置３０は、Ｓ２における撮影開始からの経過時間が設定時間（ここでは、２分）を超えたか否かを判断する。そして、制御装置３０は、上記経過時間が設定時間を超えていないと判断すると（Ｓ３においてＮＯ）、Ｓ２における撮影処理を繰り返し行う。
【０１１７】
なお、本実施形態では、経過時間が２分をオーバーした場合に撮影処理の終了を行う設定になっているがこれに限定されるものではない。例えば、撮影可能な枚数に制限を設けておき、撮影枚数が制限値を越える場合、あるいはユーザによって撮影処理の終了指示が出された場合に、撮影処理を終了するように設定されていてもよい。そして、制御装置３０は、撮影処理によって生成した撮影画像を、記憶装置１６に記憶する。
【０１１８】
Ｓ３において、制御装置３０によって経過時間が２分を超えたと判断されると（Ｓ３においてＹＥＳ）、処理はＳ４に進む。
【０１１９】
Ｓ４では、制御装置３０における編集処理部（不図示）が、描画アプリケーションを実行する。なお、この描画アプリケーションとは、タッチペン６ｂからの操作指示に基づいて、画像が形成された画像形成レイヤー（以下、落書きレイヤーと称する）を作成する処理を実現するソフトウェアである。そして、この描画アプリケーションを実行するプログラムは不図示のＲＯＭなどに記憶されており、上記制御装置においてこのプログラムを不図示のＲＡＭに読み出し実行することにより実現できる。
【０１２０】
描画アプリケーションによる編集処理は、例えば以下のようにして行われる。すなわち、上記制御装置３０における編集処理部が、記憶装置１６から編集対象となる撮影画像、（撮影処理によって作成された撮影画像）を読み出し、表示モニタ５ｂに画像編集するための編集用画像を表示させる。この編集用画像に対してユーザは、タッチペン６ｂを用いて落書きなどの編集処理を行う。
【０１２１】
なお、この編集処理において、編集用画像には、例えば、編集処理を行うためのツール類の選択領域が表示されるように構成されていてもよい。ツール類としては、例えば複数の種類からなるペンおよびその色、消しゴム、および複数のスタンプなどが挙げられる。
【０１２２】
また、編集対象となる編集用画像には、編集対象となる画像を選択するための選択画像が表示されてもよい。ユーザは、タッチペン６ｂによって選択画像をタッチすることによって、中央に編集対象として表示される画像を切り替えることが可能となっていてもよい。なお、この選択画像は、上記の撮影処理において、複数回の撮影が行われた場合の各撮影時における画像に相当するものである。
【０１２３】
そして、Ｓ５において、制御装置３０は、Ｓ４における編集開始からの経過時間が設定時間（ここでは、２分）を超えたか否かを判断する。そして、上記制御装置３０が、上記経過時間が２分を超えていないと判断すると（Ｓ５においてＮＯ）、Ｓ４に戻って編集処理を継続する。
【０１２４】
なお、ここでは、経過時間が２分をオーバーした場合に撮影処理の終了を行う設定になっているが、例えば、ユーザによって編集処理の終了指示が出されることにより、編集処理が終了されるようになっていてもよい。この経過時間がある一定時間になった時点で、まだ編集処理が行われていない選択画像があれば、編集表示パネル６ａに「落書き忘れ」の画像データがある旨の表示を行ってもよい。
【０１２５】
あるいは、編集処理の時間を、編集処理を行う対象の画像数で割って各画像に与えられた時間とし、各画像に与えられた時間が経過する毎に「次の画像の落書きをしない？」といった催促を編集表示パネル６aに表示させてもよい。上記のような情報を表示させることにより、ユーザは、全ての画像に対して、編集処理忘れを防止することができる。
【０１２６】
また、ユーザによる編集処理の作業が終了すると、ユーザの指示に基づいて、または自動的に、編集処理した各画像をどのような配置で、またどのような分割数で、プリント紙に印刷するのかについて決定される。
【０１２７】
Ｓ５において、制御装置３０によって経過時間が２分を超えたと判断されると（Ｓ５においてＹＥＳ）、制御装置３０は、上記Ｓ４の編集処理にてユーザによって作成された落書きレイヤーと撮影画像と背景レイヤーと前景レイヤーとを画像合成部にて合成し、処理はＳ６に進む。
【０１２８】
Ｓ６では、制御装置３０が、印刷処理を行う。具体的には、制御装置３０は、画像合成部にて合成された合成画像を、プリンタ２３を動作させてプリント紙に印刷する。そして、このプリント紙がプリント排出口１１から排出される。
【０１２９】
上記した処理の流れによって、写真撮影プリント装置１における一連の動作が終了する。
【０１３０】
また、本実施の形態に係る写真撮影プリント装置１は、撮影ユニット５が有する撮影カメラ５aの移動と、リフタ４の上下移動と、背景カーテン３の下端部７１の上下移動とが連動するように構成されている。そこで、以下において図８を参照して撮影カメラ５a、リフタ４、および背景カーテン３の連動に関する構成について説明する。
【０１３１】
（撮影カメラ、リフタ、および背景カーテンの連動に関する構成）
図８は、本発明の実施形態を示すものであり、撮影カメラ５a、リフタ４、および背景カーテン３それぞれの連動に関する、写真撮影プリント装置１の要部構成を示すブロック図である。
【０１３２】
同図に示すように、本実施形態に係る写真撮影プリント装置１は、制御装置３０が機能ブロックとして、上記した駆動制御部４０（図８ではカーテン制御部４２、リフタ制御部４３送風制御部４４、および撮影ユニット制御部４６のみを図示している）、入力制御部５１、表示制御部５０に加えて、制御情報特定部（特定手段）５２をさらに備えている。また、記憶装置１６には、撮影データテーブル６１、撮影場面データ６２、および移動量テーブル６３が記憶されている。
【０１３３】
制御情報特定部５２は、ユーザによって選択された撮影場面の設定に応じて、駆動制御部４０による各種制御に関する情報を特定するものである。具体的には、制御情報特定部５２は、記憶装置１６に格納された撮影データテーブル６１を参照して、リフタ４の移動量、風向および風力、および撮影カメラ５aの撮影方向の角度位置などを特定する。そして特定したこれらの情報のうち、リフタ４の移動量に関する情報はリフタ制御部４３に、風向および風力に関する情報は、送風制御部４４に、撮影カメラ５aの撮影方向の角度の情報は撮影ユニット制御部４６にそれぞれ送信する。
【０１３４】
また、記憶装置１６が記憶している撮影データテーブル６１は、図７に示すように、撮影場面を示す情報と該撮影場面に対応するリフタ４の移動量を示す情報（リフタ４の位置情報）とが記録されている。なお、このリフタ４の位置情報は、本実施形態では撮影室内の床部７０からのリフタ４の上昇位置を示す情報である。また、この撮影データテーブル６１では、撮影場面ごとに、送風装置８による風向および風力を示す情報（風条件）、および、撮影カメラ５aによる撮影条件を示す情報がさらに記憶されている。
【０１３５】
また、本実施形態では、上記撮影条件は、撮影カメラ５aの撮影方向の上下角度を示す情報を示すものであり、撮影カメラ５aの初期設定の位置を０°として、その初期設定位置から何度撮影方向を上下方向に傾けるかを示している。
【０１３６】
なお、撮影条件として、上記撮影カメラ５aの撮影方向の情報に限定されるものではなく、撮影カメラ５aの画角を決定する情報も含まれていても良い。また、図７に示す撮影データテーブル６１は、これらの情報に限定されるものではなく、例えば照明装置１３の輝度を示す情報、背景カーテン３あるいは撮影画像に組み合わせるフレームの種別を示す情報などがさらに含まれていてもよい。
【０１３７】
ここで、本実施形態に係る、撮影場面の設定に応じて撮影カメラ５a、リフタ４、および背景カーテン３の連動に関する処理について具体的に説明する。
【０１３８】
まず、ユーザが、操作ボタン５ｃを押下して撮影場面を選択する。なお、このとき、表示モニタ５ｂ上に、複数の予め登録されている撮影場面が表示されており、ユーザはこの表示された撮影場面の中から所望する撮影場面を選択できるようになっている。この撮影場面の表示は、撮影場面を示す文字情報であってもよいし、撮影場面の一例を示す縮小された画像であってもよい。
【０１３９】
操作ボタン５ｃを操作してユーザにより選択された撮影場面の情報は、制御装置３０において入力制御部５１によって受付けられ、制御情報特定部５２に送信される。制御情報特定部５２は、入力制御部５１を介して受信した撮影場面の情報に基づき、記憶装置１６に格納されている撮影データテーブル６１を参照してリフタ４の位置情報、風条件、および撮影条件を特定する。
【０１４０】
このように制御情報特定部５２が、上記した情報を特定すると、リフタ４の位置情報をリフタ制御部４３に、風条件情報を送風制御部４４に、撮影条件を撮影ユニット制御部４６にそれぞれ送信する。
【０１４１】
制御情報特定部５２より上記位置情報を受信すると、リフタ制御部４３は、受信した位置情報に基づきリフタ４を上下方向に移動させるとともに、カーテン制御部４２に対してリフタ４の移動距離と同じ移動距離だけ、背景カーテン３の下端部７１の位置を移動させるように指示する。
【０１４２】
また、リフタ制御部４３からの指示を受けて、カーテン制御部４２は、背景支持装置１４に対して、上記リフタ４の移動距離と同じ距離だけ背景カーテン３の下端部７１の位置を移動させるように制御する。そして、背景支持装置１４は、背景カーテン３を巻き上げたり、巻き上げている背景カーテン３を戻したりして、リフタ４の移動量と同じ距離だけ背景カーテン３の下端部７１を上下方向に移動させる。
【０１４３】
すなわち、リフタ制御部４３は、図１（ａ）の状態から図１（ｂ）の状態となるように、リフタ４の載置面を上昇させるよう制御する。また、リフタ制御部４３からの指示を受けて、カーテン制御部４２は、背景支持装置１４に対して、上記リフタ４の載置面の移動距離と同じ距離だけ背景カーテン３の下端部７１位置を移動させるように制御する。そして、背景支持装置１４は、背景カーテン３を巻き上げたり、巻き上げている背景カーテン３を戻したりして、リフタ４の移動量と同じ距離だけ背景カーテン３の下端部７１を上下方向に移動させる。
【０１４４】
すなわち、図１（ｂ）に示すようにリフタ４の載置面が上昇した分だけ背景カーテン３の下端部７１も巻き上げられる。このため、背景カーテン３の下端部７１がリフタ４に持ち上げられ該背景カーテン３が弛んでしまうことを防ぐことができる。
【０１４５】
なお、この図１は、背景カーテン３の下端部７１の位置と、リフタ４の載置面の位置と、撮影カメラ５ａの撮影方向との関係を示す図である。同図（ａ）は、初期状態における、背景カーテン３の下端部７１と、リフタ４に搭乗しているユーザと、撮影カメラ５ａの撮影方向との位置関係の一例を示す図である。また、同図（ｂ）は、リフタ４の載置面の上昇時における、背景カーテン３の下端部７１と、リフタ４に搭乗しているユーザと、撮影カメラ５ａの撮影方向との位置関係の一例を示す図である。
【０１４６】
一方、制御情報特定部５２より風条件を示す情報を受信すると、送風制御部４４は、送風装置８に起動指示を出し、生じさせる風力と風向を通知する。この送風制御部４４からの指示に応じて上記送風装置８は、風条件に応じた風力の風を、適切な方向に吹くように向ける。
【０１４７】
また、制御情報特定部５２により撮影条件を受信すると、撮影ユニット制御部４６は、該撮影条件に応じた位置に撮影カメラ５aの撮影方向が向くように、該撮影カメラ５aの撮影向きを上下方向に移動させるように制御する。
【０１４８】
つまり、図１（ａ）に示すように、リフタ４の上昇前では、撮影カメラ５ａによる撮影方向が、やや下向きとなっていた。しかしながら、リフタ４が上昇することにより撮影対象であるユーザの撮影位置が変化してしまい、上昇したリフタ４の載置面が撮影可能な範囲内に入ってしまう。
【０１４９】
そこで、図１（ｂ）に示すように、上昇したリフタ４上のユーザに対して好適に撮影を行うために、撮影カメラ５ａによる撮影方向をリフタ４の載置面の上昇に連動して上方向に移動させる。
【０１５０】
より具体的には、例えば、ユーザによって撮影場面として「山頂」が選択されたとする。この選択された情報は、入力制御部５１を介して制御情報特定部５２に送信される。そして、制御情報特定部５２は、撮影データテーブル６１を参照して、「山頂」に対応するリフタ４の位置情報、風条件、および撮影条件を特定する。すなわち、上記リフタ４の位置情報は３０センチであり、風条件は風向が下方向に風力４で、撮影カメラ５aの撮影方向は初期位置から６度上に傾けた位置となる。
【０１５１】
制御情報特定部５２はこれらの情報をそれぞれ特定するとリフタ制御部４３、送風制御部４４、および撮影ユニット制御部４６に送信する。そして、リフタ制御部４３は、制御情報特定部５２から受信したリフタ４の位置情報に基づき、撮影室の床部７０から３０センチ上昇させるように、リフタ４の載置面を制御する。さらにリフタ制御部４３は、カーテン制御部４２に対して、背景カーテン３の下端部７１が現在の位置から３０センチ上昇した位置となるように指示する。カーテン制御部４２は、リフタ制御部４３からの指示に応じて、背景支持装置１４に、背景カーテン３を３０センチ分巻き上げるように制御する。
【０１５２】
このようにして、リフタ４の載置面を上昇させ、通常とは異なる空間位置に被写体であるユーザを位置させて、撮影を行うことができるため、合成するフレームの自由度を高めることができ、また撮影場面に応じた最適な撮影を行うことができる。
【０１５３】
また、リフタ４の上昇に応じて背景カーテン３の下端部７１位置を移動させることができる。したがって、リフタ４上のユーザが、該リフタ４の移動に伴い弛んだ背景カーテン３の下端部７１を踏みつけたり、背景カーテン３に歪みが生じたりすることを防ぐことができる。
【０１５４】
また、送風制御部４４は、制御情報特定部５２から受信した風条件に基づき撮影室内において上から下に風力４で吹き付けるように送風装置８を制御する。また、撮影ユニット制御部４６は、制御情報特定部５２から受信したリフタ４位置情報に基づき、撮影カメラ５aの撮影方向が初期位置から＋６度だけ傾けた位置となるように制御する。
【０１５５】
以上のように送風装置８によって撮影場面に応じた風を生じさせることにより、被写体のユーザの髪をなびかせより躍動感のある画像を撮影することができる。また、撮影カメラ５aの撮影方向を上下方向に変更させることができ、撮影可能な領域を変更させることができるため、例えば上昇したリフタ４の載置面や撮影室の天井部分が撮影カメラ５aの撮影可能な領域外となるように調整することができる。
【０１５６】
なお、上昇したリフタ４の載置面や撮影室の天井部分が撮影画像に現れることを防ぐために、撮影カメラ５aの撮影方向を上下方向に変更させるのではなく、撮影カメラ５ａの画角を変更させる構成であってもよい。あるいは、撮影時に撮影されてしまったリフタ４部分など不要な画像部分を隠すような形状のフレームを採用し、撮影画像と合成することでリフタ４や撮影室の天井部分が撮影画像に現れることを防いだりする構成であってもよい。
【０１５７】
具体的には、リフタ４の載置面の移動に連動して、撮影カメラ５ａの画角を変更させる場合、本実施の形態に係る写真撮影プリント装置１は、以下のように構成することにより実現できる。
【０１５８】
すなわち、リフタ４の載置面の移動距離（上昇量）と、初期位置における撮影カメラ５ａの撮影可能な範囲との関係から、リフタ４の載置面が撮影されないような画角の範囲を予め調べておく。つまり、リフタ４の載置面が上昇した場合、該載置面が撮影されない画角の範囲はどの範囲であるかについて、載置面の移動距離ごとに調べる。そして、このリフタ４の載置面の移動距離と画角の範囲との関係を示す情報をテーブル（不図示）として記憶装置１６に記憶しておく。
【０１５９】
このような前提において、本実施形態に係る写真撮影プリント装置１では、制御情報特定部５２が、リフタ４の載置面の上昇時に、このテーブルを参照して、該載置面の移動距離に応じた撮影カメラ５ａの画角を特定する。そして、この特定した画角でユーザの撮影を行うように撮影ユニット制御装部４６に指示する。撮影ユニット制御部４６は、制御情報特定部５２からの指示に応じて撮影カメラ５ａを制御する。
【０１６０】
また、リフタ４の載置面の移動距離に応じて、撮影画像と合成するフレーム、スタンプあるいはクロマキー背景を選択する場合、本実施の形態に係る写真撮影プリント装置１は、以下のように構成することにより実現できる。
【０１６１】
すなわち、リフタ４の載置面の移動距離（上昇量）と、現在の撮影カメラ５ａの撮影可能な範囲との関係から、リフタ４の載置面の移動に応じて、載置面あるいは撮影室の天井を撮影してしまう範囲を予め調べ、この範囲を覆って隠すことが可能なフレーム、スタンプ、あるいはクロマキー背景を選択しておく。そして、このフレームあるいはスタンプの情報と、このリフタ４の載置面の移動距離との関係を示す情報をテーブル（不図示）として記憶装置１６に記憶しておく。
【０１６２】
このような前提において、リフタ４の載置面の移動距離に応じて、記憶装置１６に記憶しているこのテーブルを参照して、制御情報特定部５２が適切なフレームを選択し特定する。そして、制御情報特定部５２は、この特定したフレームと撮影されたユーザの画像とを合成するように不図示の編集処理部に指示する。一方、この制御情報特定部５２からの指示に応じて、編集処理部が撮影カメラ５ａを制御する。
【０１６３】
また、本実施の形態に係る写真撮影プリント装置１は、上下方向における撮影カメラ５ａの撮影方向の変更と、画角の変更と、採用するフレームまたはスタンプの選択とを適宜組み合わせてリフタ４の載置面や撮影室内の天井などが撮影画像として視認されないようにする構成であってもよい。
【０１６４】
さらには、制御装置３０における不図示の編集処理部によって、例えば、リフタ４の載置面または撮影室内の天井など、撮影された画像における不要な画像部分を除去するように構成されていてもよい。
【０１６５】
なお、上記カーテン制御部４２は、リフタ制御部４３からの指示に応じて背景カーテン３の巻上げを制御する構成であった。しかしながら、撮影データテーブル６１において、巻き上げられる背景カーテン３の大きさを示す情報が撮影場面ごとに記録されており、この撮影データテーブル６１を参照し、選択された撮影場面に応じた背景カーテン３の巻き上げ量を制御情報特定部５２が特定する。そして、この特定した情報をカーテン制御部４２に送信し、該カーテン制御部４２がこの情報に基づき、背景カーテン３を巻き上げるように背景支持装置１４を制御する構成であってもよい。
【０１６６】
すなわち、図８において示すように制御特定部５２からカーテン制御部４２に対して直接背景カーテン３の巻き上げ指示が送信され、この指示に応じて、カーテン制御部４２は背景指示装置１４を制御する。なお、この場合は、図８において示すリフタ制御部４３からカーテン制御部４２に向かう矢印の指示は行われないこととなる。
【０１６７】
つまり、リフタ制御部４３からの制御指示に応じて、カーテン制御部４２が背景支持装置１４の制御をおこなう場合は、制御特定部５２からカーテン制御部４２に向かう制御指示の流れを示す図８の矢印は不要である。逆に、制御特定部５２からの制御指示に応じて、カーテン制御部４２が背景支持装置１４の制御をおこなう場合は、リフタ制御部４３からカーテン制御部４２に向かう制御指示の流れを示す図８の矢印は不要となる。
【０１６８】
さらにはまた、上記カーテン制御部４２は、リフタ制御部４３からの指示に応じて背景カーテン３の巻上げを制御する構成であった。しかしながら、撮影データテーブル６１において、巻き上げられる背景カーテン３の大きさを示す情報が撮影場面ごとに記録されており、この撮影データテーブル６１を参照し、選択された撮影場面に応じた背景カーテン３の巻き上げ量を制御情報特定部５２が特定する。そして、この特定した情報をカーテン制御部４２に送信し、該カーテン制御部４２がこの情報に基づき、背景カーテン３を巻き上げるように背景支持装置１４を制御するとともに、リフタ４の移動量をリフタ制御部４３に指示する構成であってもよい。
【０１６９】
このように構成されている場合では、図８に示されるリフタ制御部４３からカーテン制御部４２に向かう制御指示の流れを示す矢印の代わりに、該矢印とは正反対の方向となる制御指示の流れを示す矢印が記録されることとなる。（なお、この矢印は図８において不図示）。
【０１７０】
また、上記では、リフタ４の移動量に応じて、背景カーテン３および撮影カメラ５ａそれぞれが連動して制御され上下方向に移動する構成であったが、リフタ４の移動量に応じてリフタ４が移動し、次いで背景カーテン３が移動し、最後にカメラの撮影方向が上下方向に移動させられるように構成されていてもよい。
【０１７１】
また、本実施形態に係る写真撮影プリント装置１は、選択された撮影場面に応じてリフタ４を上下方向に移動させるとともに、このリフタ４の移動に連動して撮影カメラ５aの撮影方向を変更し、さらに背景カーテン３の下端部７１がリフタ４の載置面によって持ち上げられないように移動する構成であった。
【０１７２】
しかしながら、本実施形態に係る写真撮影プリント装置１は、ユーザにより直接入力されたリフタ４の載置面の移動量に応じて、背景カーテン３の下端部７１の位置および撮影カメラ５aの撮影方向の角度を連動して変更させる構成であってもよい。
【０１７３】
このように構成されている場合、以下のようにしてリフタ４の載置面の移動、背景カーテン３の巻上げ、および撮影カメラ５aの撮影方向の制御を連動させる。
【０１７４】
すなわち、ユーザが撮影の前に、操作ボタン５ｃを操作して、リフタ４の載置面を上昇させる高さを直接設定する。この設定されたリフタ４の高さを示す位置情報を入力制御部５１が受付け、制御情報特定部５２に送信する。
【０１７５】
制御情報特定部５２では、入力制御部５１を介して受信した位置情報に基づき、ユーザによって設定された位置までリフタ４の載置面を移動させるようにリフタ制御部４３に指示する。この制御情報特定部５２からの指示に応じて、リフタ制御部４３は、リフタ４の載置面をユーザによって設定された高さまで移動させるように制御するとともに、カーテン制御部４２に対して、リフタ４の載置面の移動に応じて背景カーテン３の下端部７１を移動させるように指示する。
【０１７６】
また、上記制御情報特定部５２は、記憶装置１６に記憶されている移動量テーブル６３を参照して、ユーザによって設定されたリフタ４の載置面の高さ（上昇位置）に対応する撮影カメラ５aの撮影方向を特定する。そして、特定した撮影方向の情報を撮影ユニット制御部４６に送信する。
【０１７７】
撮影ユニット制御部４６は、制御情報特定部５２によって特定された撮影方向の情報に応じて、撮影カメラ５ａの撮影方向を上下方向に移動させるように制御する。
【０１７８】
以上のようにして、本実施形態に係る写真撮影プリント装置１は、ユーザが設定したリフタ４の載置面の位置に応じて、撮影カメラ５aの上下方向における撮影方向の角度および背景カーテン３の下端部７１の位置を連動させて変更させることができる。
【０１７９】
また、本実施形態に係る写真撮影プリント装置１は、以下に示すように、上下方向における撮影カメラ５ａの撮影方向の変更に応じて、背景カーテン３およびリフタ４を連動させて移動させる構成であってもよい。
【０１８０】
すなわち、上記写真撮影プリント装置１では、上記撮影ユニット制御部４６が、上記撮影カメラ５ａの撮影方向が上記ユーザの中心位置に向かうように上下方向に撮影装置を制御する。そして、上記制御情報特定部５２が、上記撮影ユニット制御部４６により制御された撮影カメラ５ａの撮影方向の、該撮影カメラ５ａの初期位置からの移動角度に基づき、リフタ４の上昇量を特定する。そして、この特定された上昇量に基づき、リフタ制御部４３がリフタ４を上昇させるとともに、カーテン制御部４２にリフタ４の移動量に応じて背景カーテン３の下端部７１の位置を上昇させるように指示する。
【０１８１】
一方、カーテン制御部４２は、リフタ４からの指示に応じて、背景カーテン３の下端部７１をリフタ４の載置面の上昇量分だけ上げるように背景指示装置１４を制御する。
【０１８２】
ただし、この構成では、写真撮影プリント装置１は、撮影カメラ５ａの初期位置における撮影方向によってユーザが撮影されることを前提としている。また、この構成では写真撮影プリント装置１は、記憶装置１６に撮影カメラ５ａの初期位置からの撮影方向のずれを示す角度と、リフタ４の上昇量とを対応付けたテーブル（不図示）が記憶されている。
【０１８３】
より具体的には、ユーザが表示モニタ５ｂを確認しながら、ユーザ自身の顔の中心が表示モニタ５ｂ上の所定位置（中心位置）に一致するように、撮影カメラ５ａの上下方向における撮影方向を変更させるように制御する。
【０１８４】
なお、ユーザはこの撮影カメラ５ａの撮影方向の変更を操作ボタン５ｃによって操作する。また、表示モニタ５ｂの所定位置とは、表示モニタ５ｂの表示画面上の所定位置であって、この所定位置は記号を表示させるなどユーザによって視認できるようになっている。
【０１８５】
ユーザにより撮影カメラ５ａの撮影方向が変更されると、撮影ユニット制御部４６は、初期位置における撮影カメラ５ａの撮影方向からのずれを示す、撮影カメラ５ａの撮影方向の傾きを示す角度を制御情報特定部５２に通知する。
【０１８６】
制御情報特定部５２は、撮影ユニット制御部４６から受信した上記通知に基づき、記憶装置１６を参照して、リフタ４の載置面の上昇量を特定する。そして、この特定した上昇量をリフタ制御部４３に通知する。そして、リフタ制御部４３は、この通知に基づき、リフタ４の載置面を上昇させるとともに、カーテン制御部４２にリフタ４の載置面の上昇量に応じた距離だけ背景カーテン３の下端部を上昇させるように指示する。
【０１８７】
この指示を受けて、カーテン制御部４２は、背景支持装置１４に背景カーテン３の下端部７１を移動させるように制御する。
【０１８８】
一方、撮影ユニット制御部４６は、撮影方向が変更された撮影カメラ５ａの傾きを初期位置に戻すように制御する。
【０１８９】
以上のように、上記写真撮影プリント装置１では、撮影カメラ５ａの撮影方向の、初期位置からのずれに応じて、リフタ４および背景カーテン３を連動させて移動させることができる。このため、さまざまな身長のユーザに対して、常に撮影カメラａの初期位置での撮影を可能とする。
【０１９０】
なお、上記リフタ４の載置面の上昇可能な高さは、例えば図１０に示すようにユーザの年齢に応じて決められていてもよい。このように、ユーザの年齢に応じてリフタ４の上昇可能な高さが決められている場合、リフタ４からの転落により負傷する危険性を低減することができる。なお、この場合、上記写真撮影プリント装置１は、ユーザに対して撮影開始前に操作ボタン５ｃによって自身の年齢を設定するように構成される。
【０１９１】
また、このリフタ４の載置面の上昇可能な高さの設定は、本実施形態に係る写真撮影プリント装置１が設置されている店舗ごとに設定される構成であることが好ましい。例えば、ユーザの多くを子供が占める店舗では、リフタ４が上昇可能な高さを他の店舗に設置されている写真撮影プリント装置１よりも低くなるように設定される。
【０１９２】
以上のように、本実施形態の写真撮影プリント装置１の設置される店舗のユーザの年齢層に応じて、リフタ４が上昇可能な高さを変更できるように構成されていることにより、写真撮影プリント装置１の使用に係る安全性を向上させることができる。
【０１９３】
また、上記では、選択された撮影場面に応じて、あるいはユーザによって設定されたリフタ４の移動量に応じて、リフタ４と撮影カメラ５ａと背景カーテン３とが連動して移動する構成であった。これらリフタ４、撮影カメラ５ａ、背景カーテン３それぞれの連動を、例えば以下のようなゲームの中で行うこともできる。
【０１９４】
すなわち、図１１に示すように、ユーザが硬貨投入口９にお金を投入し、操作ボタン５ｃを操作してゲームの開始を選択する。このユーザからの指示を入力制御部５１が受付け、表示制御部５０は、ゲームの内容（例えば図１１に示すようなクイズの画像）を表示させるように指示する。この指示に応じて、表示制御部５０は、ゲームの内容を示す画像を記憶装置１６から読みだし、表示モニタ５ｂに表示させる。
【０１９５】
このように表示モニタ５ｂ上に表示されたクイズに対してユーザが操作ボタン５ｃを操作して回答する。ここで、この回答が正解である場合は、例えば１０センチ分だけ、リフタ４を上昇させる。もし誤りならば、リフタ４を１０センチ分だけ下降させるものとする。
【０１９６】
すなわち、表示されたクイズに対する応答としての、ユーザからの入力情報を入力制御部５１が受付けると、制御情報特定部５２にこの入力情報を送信する。制御情報特定部５２では、受信した入力情報に基づき、記憶装置１６に記憶されているクイズ情報（不図示）を参照して、ユーザからの入力情報の正誤を判定する。
【０１９７】
そして、正解であると判定した場合は、制御情報特定部５２は、リフタ制御部４３に対して、リフタ４を１０センチ上昇させるように指示する。この指示に応じて、リフタ制御部４３は、リフタ４を１０センチ上昇させるように制御するとともに、カーテン制御部４２に対して背景カーテン３の下端部７１を１０センチ上昇させるように指示する。
【０１９８】
そして、カーテン制御部４２は、リフタ制御部４３からの指示に応じて、背景支持装置１４に対して背景カーテン３の下端部７１を１０センチ上昇させる。
【０１９９】
また、制御情報特定部５２は、正解であると判定した場合、移動量テーブル６３を参照して、リフタ４の移動量（１０センチ上昇）に対応する、撮影カメラ５ａの撮影方向の変更位置を特定する。例えば、図９に示すように、リフタの高さが１０センチ上昇した場合、撮影カメラ５ａの撮影方向の角度は＋２度となる。すなわち、現在の撮影方向から２度だけ上方向に撮影方向を変更させる。
【０２００】
一方、制御情報特定部５２が不正解であると判定した場合は、リフタ制御部４３に対して、リフタ４を１０センチ下降させるように指示する。そしてリフタ制御部４３は、この指示に応じてリフタ４を１０センチ下降させるとともに、カーテン制御部４２に背景カーテン３の下端部７１を１０センチ降下させるように指示する。この指示に応じてカーテン制御部４２は、背景カーテン３の下端部７１が１０センチ下降させるように背景指示装置１４を制御する。
【０２０１】
また、制御情報特定部５２は、不正解であると判定した場合、移動量テーブル６３を参照して、リフタ４の移動量（１０センチ下降）に対応する、撮影カメラ５ａの撮影方向の変更位置を特定する。例えば、リフタの高さが１０センチ下降した場合、撮影カメラの撮影方向の角度は−２度となるとする。この場合、現在の撮影方向から２度だけ下方向に撮影方向を変更させる。
【０２０２】
以上のように、本実施形態に係る写真撮影プリント装置１は、クイズなどのゲームの中でのユーザによる応答入力に応じて、背景カーテン３の下端部７１の位置、リフタ４の位置、撮影カメラ５ａの撮影方向を連動させて変更させることができる。このため、写真撮影プリント装置１は、当該写真撮影プリント装置１の利用における娯楽性を向上させることができる。
【０２０３】
なお、上記では表示制御部５０が、このゲームの内容を示す画像を表示モニタ５ｂに表示させる構成であったが、編集表示パネル６ａに表示させるように構成されていてもよい。このように構成されている場合、ゲーム上におけるユーザの応答操作は、タッチペンで行うことができる。
【０２０４】
また、本実施の形態に係る写真撮影プリント装置１は、上記したように、背景カーテン３の下端部７１の位置、リフタ４の位置、および撮影カメラ５ａの撮影方向をそれぞれ連動させて変更させることができる構成である。つまり、リフタ４によりユーザの撮影位置を変更させることができるとともに、変更された撮影位置に応じて背景カーテン３の下端部７１の位置および撮影カメラ５ａの撮影方向も連動して変更させることができる構成である。
【０２０５】
このように、本実施形態に係る写真撮影プリント装置１では、被写体であるユーザの撮影環境を多種多様に変化させることができる。そこで、リフタ４の位置に応じて図１２に示すような撮影ポーズの指示表示を行ない、該リフタ４の位置に応じたポーズを取れるようにユーザをサポートする構成としてもよい。すなわち、図１２に示すように被写体である２人のユーザのうち、一方のユーザはリフタ４の載置面上ではなくそのまま、撮影カメラ５ａに対向するように床部７０上に立ち、他方のユーザが一定の高さ上昇したリフタ４の載置面上に立っている。このような状態において、本実施形態に係る写真撮影プリント装置１では、上記他方のユーザを載せたリフタ４の載置面の上昇量に応じて適切なポーズを提示することができる。
【０２０６】
つまり、本実施形態に係る写真撮影プリント装置１は、以下のようにして撮影ポーズをユーザに提示する。なお、この場合、前提として、記憶装置１６に、リフタ４の載置面の移動量（上昇量）と、該移動量に対応するポーズ情報とが対応付けられているポーズ情報が予め記憶されているものとする。
【０２０７】
すなわち、２人のユーザのうちいずれか一方からの入力指示に応じて、上記他方のユーザを載せたリフタ４の載置面を移動させたとする。この場合、リフタ４の移動に伴い、上記したように背景カーテン３の下端部７１の位置と撮影カメラ５ａの撮影方向の角度とが変更される。その一方で、制御情報特定部５２は、特定したリフタ４の位置情報を表示制御部５０にも送信する。この制御情報特定部５２から受信したリフタ４の位置情報に基づき、表示制御部５０は、記憶装置１６に記憶されているポーズ情報（不図示）を参照して、適切なポーズを示す情報を取得し表示モニタ５ｂに表示させる。
【０２０８】
以上のようにリフタ４の移動に伴い、表示モニタ５ｂにおいて表示させる画像データも連動させて変更させることができる。
【０２０９】
なお上記したリフタ４は、図１３に示すようにリフタ４の周囲に手擦り部７２を設け、リフタ４上からユーザが転落しないように構成されていることが好ましい。このように、手擦り部７２が設けられている場合、上昇しているリフタ４上のユーザは、この手擦り部７２によってリフタ４上から床部７０に転落することを防ぐができるため、本実施形態に係る写真撮影プリント装置１を利用するユーザに対する安全性を向上させることができる。
【０２１０】
さらには、上記リフタ４は、図１４（ａ）の状態から図１４（ｂ）の状態となることによりユーザの位置を上昇させる構成であってもよい。すなわち、リフタ４は、初期位置では、図１４（ａ）に示すように直方体形状をしており、該直方体形状の上面の高さは床部７０と水平となる高さとなっている。
【０２１１】
また、このリフタ４は、平面における縦横の寸法が異なる直方体が複数組み合わさって構成されており、このリフタ４は、上昇時において、平面の面積が小さくなる直方体がより上にくるようにピラミッド形状に段階的に上昇する。
【０２１２】
このように平面の縦横の寸法が異なる直方体が組み合わされ、段階的に伸縮するように構成されることにより、上昇したリフタ４の側面にユーザを巻き込む危険が生じることを防止することができる。
【０２１３】
なお、本実施形態に係る写真撮影プリント装置１において、撮影室内に荷物置きスペースや荷物掛けフック等が設けられていてもよい。このように、撮影室内に荷物置きスペースが設けられている場合、ユーザは荷物を視界内に入れておくことができるので、置き引きを防止することができる。
【０２１４】
また、写真撮影プリント装置１は、ユーザが現在使用中であることを表示するためのランプ等をさらに備えた構成であってもよい。なお、上記ランプを備える構成の場合、該ランプは、写真撮影プリント装置１の外側に配備され、ユーザ以外の第３者が写真プリント装置１の使用の有無を容易に確認できるように構成されていることが好ましい。
【０２１５】
なお、上記実施形態の制御装置３０の各部や上記した各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の制御装置３０の各種機能および各種処理を実現することができる。また、上記プログラムをリムーバブルな記録媒体に記録することにより、任意のコンピュータ上で上記の各種機能および各種処理を実現することができる。
【０２１６】
この記録媒体としては、マイクロコンピュータで処理を行うために図示しないメモリ、例えばＲＯＭのようなものがプログラムメディアであっても良いし、また、図示していないが外部記憶装置１６としてプログラム読取り装置が設けられ、そこに記録媒体を挿入することにより読取り可能なプログラムメディアであっても良い。
【０２１７】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２１８】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２１９】
また、インターネットを含む通信ネットワークを接続可能なシステム構成であれば、通信ネットワークからプログラムをダウンロードするように流動的にプログラムを担持する記録媒体であることが好ましい。
【０２２０】
さらに、このように通信ネットワークからプログラムをダウンロードする場合には、そのダウンロード用のプログラムは予め本体装置に格納しておくか、あるいは別な記録媒体からインストールされるものであることが好ましい。
【０２２１】
なお、本実施形態に係る写真撮影プリント装置１では、背景カーテン３、リフタ４、および撮影カメラ５ａそれぞれが連動して移動する構成であったが、連動して移動する部材はこれら３つに限定されるものではない。
【０２２２】
例えば、リフタ４の載置面の上昇に応じて背景カーテン３のみが上昇する構成としてもよく、また、リフタ４の載置面の上昇に応じて撮影カメラ５ａの撮影方向のみが変更される構成としてもよい。
【０２２３】
あるいは、撮影カメラ５ａの撮影に関する調整部分（例えばカメラの絞り、またはシャッタースピード等）もリフタ４の移動に応じて調整されるように制御さる構成であってもよい。このように、撮影カメラ５ａの撮影に関する調整部分もリフタ４の移動に連動して制御される場合、被写体であるユーザをズレなく撮影することができる。
【０２２４】
また、本実施形態では、背景カーテン３、リフタ４、および撮影カメラ５ａは、それぞれ、カーテン制御部４２、リフタ制御部４３、および撮影ユニット制御部４６によって制御される構成であったがこれに限定されるものではない。例えば、本実施形態に係る写真撮影プリント装置１は、リフタ４の載置面を移動させる駆動装置（不図示）の動力を分配して背景カーテン３および／または撮影カメラ５ａを連動して移動させるように構成してもよい。
【０２２５】
また、本実施形態に係る写真撮影プリント装置１は、リフタ４によりユーザが上昇した後に、該ユーザの撮影が行われる構成であった。しかしながら、リフタ４によりユーザが移動している最中に該ユーザが撮影される構成であってもよい。
【０２２６】
ただし、このように写真撮影プリント装置１が構成される場合、互いに連動する上記した背景カーテン３、リフタ４、および撮影カメラ５ａは、互いに同じタイミングで始動しかつ相互に一定の関係を維持したまま移動するように制御される。
【０２２７】
なお、上記一定の関係とは、例えば、背景カーテン３の下端部７１とリフタ４の載置面との間の距離が一定に保たれたまま、両者が移動する関係である。あるいは、リフタ４の載置面の上昇速度と、撮影カメラ５ａの撮影方向の変更速度とが一致する、すなわち、上記撮影方向が、リフタ４により上昇しているユーザの所定位置を常に差す関係である。
【０２２８】
また、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２９】
昇降装置の載置面の上下方向における移動に応じて、撮影カメラの撮影可能な範囲を変更させることができる。このため、昇降装置によって被写体を移動させ、様々な位置において該被写体を撮影する用途に広く適用できる。
【図面の簡単な説明】
【０２３０】
【図１】背景カーテンの下端部の位置と、リフタの載置面の位置と、撮影カメラの撮影方向との関係を示す図であり、同図（ａ）は、初期状態における、背景カーテンの下端部と、リフタに搭乗しているユーザと、撮影カメラの撮影方向との位置関係の一例を示す図である。また、同図（ｂ）は、リフタの載置面の上昇時における、背景カーテンの下端部と、リフタに搭乗しているユーザと、撮影カメラの撮影方向との位置関係の一例を示す図である。
【図２】本実施の形態に係る写真撮影プリント装置の概略構成を示す図である。
【図３】本実施形態に係る写真撮影プリント装置の概略の構成を示す側面図である。
【図４】同図（ａ）および同図（ｂ）は、本実施形態に係る写真撮影プリント装置の撮影室におけるリフタの設置範囲の一例を示す図である。
【図５】本実施形態に係る写真撮影プリント装置における撮影から印刷までの一連の処理の流れを示すフローチャートである。
【図６】本発明の実施形態を示すものであり、写真撮影プリント装置の要部構成を示すブロック図である。
【図７】本実施形態に係る記憶装置に格納されている撮影データテーブルの一例を示す図である。
【図８】本発明の実施形態を示すものであり、撮影カメラ、リフタ、および背景カーテンそれぞれの連動に関する、写真撮影プリント装置の要部構成を示すブロック図である。
【図９】本実施形態に係る記憶装置に格納されている移動量テーブルの一例を示す図である。
【図１０】本実施形態に係る写真撮影プリント装置における、ユーザの年齢とリフタの上昇可能な高さとの関係の一例を示す図である。
【図１１】本実施形態に係る写真撮影プリント装置の表示モニタ上におけるゲーム内容の表示の一例を示す図である。
【図１２】本実施形態に係る写真撮影プリント装置の表示モニタ上における、ユーザの撮影ポーズを補助する表示の一例を示す図である。
【図１３】本発明における他の実施形態に係る写真撮影プリント装置の概略の構成を示す側面図である。
【図１４】本実施形態に係るリフタの構造の一例を示す図であり、同図（ａ）は初期状態におけるリフタの状態を示しており、同図（ｂ）は、上昇時におけるリフタの状態を示す。
【図１５】従来技術を示すものであり、写真撮影プリント装置の一例を示す図である。
【符号の説明】
【０２３１】
１    写真撮影プリント装置（撮影装置）
２    本体装置
３    背景カーテン
４    リフタ（昇降装置）
５    撮影ユニット
５ａ  撮影カメラ（撮影カメラ部）
１６  記憶装置（撮影場面情報記憶装置、合成データ記憶装置）
３０  制御装置
４３  リフタ制御部（昇降装置制御手段）
４６  撮影ユニット制御部（撮影制御手段）
５２  制御情報特定部（特定手段）
６１  撮影データテーブル（撮影場面情報）
【図１】
2006292789.tif 000003
【図２】
2006292789.tif 000004
【図３】
2006292789.tif 000005
【図４】
2006292789.tif 000006
【図５】
2006292789.tif 000007
【図６】
2006292789.tif 000008
【図７】
2006292789.tif 000009
【図８】
2006292789.tif 000010
【図９】
2006292789.tif 000011
【図１０】
2006292789.tif 000012
【図１１】
2006292789.tif 000013
【図１２】
2006292789.tif 000014
【図１３】
2006292789.tif 000015
【図１４】
2006292789.tif 000016
【図１５】
2006292789.tif 000017